(57)【要約】【課題】最下段の壁板に対して、外力が加わっても、破損や損傷が生じにくい壁板施工構造及びこれに用いられるスタータ補助部材を提供する。【解決手段】壁下地２に複数の壁板４がよろい張りされた壁板施工構造１である。壁板施工構造１は、壁下地２に対して固定されるスタータ３と、スタータ３の外側の面３１と壁下地２とに当たって傾斜する壁板４と、を備える。スタータ３の外側の面３１が、下方向に向かうに従って外側に位置するように傾斜している。【選択図】図１
2019148123.tif 000002
【特許請求の範囲】
【請求項１】
壁下地に複数の壁板がよろい張りされた壁板施工構造であって、
前記壁下地に対して固定されるスタータと、
前記スタータの外側の面と前記壁下地とに当たって傾斜する壁板と、
を備え、
前記スタータの外側の面が、下方向に向かうに従って外側に位置するように傾斜している、
壁板施工構造。
【請求項２】
前記スタータは板状に形成されており、
前記壁板施工構造は、前記壁下地と前記スタータとの間に配置されたスタータ補助部材を更に備え、
前記スタータ補助部材は、前記壁下地と前記スタータの下端部とを離す隙間形成部を有する、
請求項１の壁板施工構造。
【請求項３】
前記スタータ補助部材は、
前記壁下地に固定される固定部と、
前記固定部に対して固定され、前記スタータを下方から支持する支持部と
を有する、
請求項２の壁板施工構造。
【請求項４】
前記支持部は、前記壁板を下方から支持するように構成されている、
請求項３の壁板施工構造。
【請求項５】
前記スタータ補助部材は、前記固定部と前記支持部とをつなぎ、前記支持部よりも下方に位置する連結部を有し、
前記連結部は少なくとも１つの水抜き孔を含む、
請求項３又は請求項４の壁板施工構造。
【請求項６】
前記壁板は、水平方向に並ぶように複数配置され、
前記スタータ補助部材は、少なくとも１つの前記壁板の水平方向の長さよりも長く形成されている、
請求項２〜５のいずれか１つの壁板施工構造。
【請求項７】
請求項２〜６のいずれか１つの壁板施工構造が備えるスタータ補助部材であって、
前記スタータ補助部材は、前記壁下地と前記スタータの下端部とを離す隙間形成部を備える、
スタータ補助部材。
【発明の詳細な説明】
【技術分野】
【０００１】
本発明は、壁板施工構造及びこれに用いられるスタータ補助部材に関し、より詳しくは、よろい張りされた壁材を有する壁板施工構造及びこれに用いられるスタータ補助部材に関する。
【背景技術】
【０００２】
特許文献１には、従来の壁板施工構造が開示されている。この特許文献１記載の壁構造は、壁下地に鉛直に取り付けられたスターターと、スターターの屋外側に重なるようにして取り付けられた最下段の外壁材と、最下段の外壁材の屋外側の面に重なるように取り付けられた上段の外壁材とを備える。この壁構造は、いわゆるよろい張りの外壁構造である。
【先行技術文献】
【特許文献】
【０００３】
【特許文献１】特開２０１７−１４８８４号公報
【発明の概要】
【発明が解決しようとする課題】
【０００４】
ところで、上記従来の壁構造では、スターターは壁下地に対して鉛直に取り付けられており、スターターの屋外側の面は鉛直面に沿っている。このため、最下段の外壁材とスターターの屋外側の面との間には、大きな隙間が生じ得る。
【０００５】
最下段の外壁材とスターターとの間に大きな隙間があると、最下段の外壁材のみに対して外力が加わりやすく、最下段の外壁材に破損や損傷が生じ得る。
【０００６】
本発明は、上記事情に鑑みてなされ、最下段の壁板に対して、外力が加わっても、破損や損傷が生じにくい壁板施工構造及びこれに用いられるスタータ補助部材を提供することを目的とする。
【課題を解決するための手段】
【０００７】
本発明に係る一態様の壁板施工構造は、壁下地に複数の壁板がよろい張りされた壁板施工構造である。前記壁板施工構造は、前記壁下地に対して固定されるスタータと、前記スタータの外側の面と前記壁下地とに当たって傾斜する壁板と、を備え、前記スタータの外側の面が、下方向に向かうに従って外側に位置するように傾斜している。
【０００８】
本発明に係る一態様のスタータ補助部材は、前記壁板施工構造が備えるスタータ補助部材である。前記スタータ補助部材は、前記壁下地と前記スタータの下端部とを離す隙間形成部を備える。
【発明の効果】
【０００９】
本発明は、最下段の壁板に対して、外力が加わっても、破損や損傷が生じにくい、という利点がある。
【図面の簡単な説明】
【００１０】
【図１】本発明の一態様に係る壁板施工構造の断面図である。
【図２】同上のスタータ補助部材の斜視図である。
【図３】同上の壁板施工構造から壁板を省略した斜視図である。
【図４】同上の壁板施工構造の正面図である。
【発明を実施するための形態】
【００１１】
（実施形態）
（１）全体構成
本実施形態に係る壁板施工構造１は、よろい張りされた複数の壁板４を有する外壁の構造である。壁板施工構造１は、本実施形態では、いわゆる木造軸組構造であるが、本開示では、木造枠組構造に適用してもよいし、鉄骨造に適用してもよい。
【００１２】
ここで、本開示では、壁下地から壁板４に向かう水平方向を「外方向」という場合があり、外方向とは反対方向を「内方向」という場合がある。特に、本実施形態では、壁板４は外壁であるため、「外方向」を「屋外方向」とし、「内方向」を「屋内方向」として説明する。また、本開示では、外方向と内方向との双方向を「内外方向」とし、本実施形態ではこれを「屋内外方向」として定義する。
【００１３】
本開示でいう「よろい張り」とは、下段壁板４２の屋外方向を向く面（外側の面）の上端部に対し、上段壁板４１を重ねた壁構造を意味する。ここでいう下段壁板４２とは、上下方向に隣接する２つの壁板４のうちの下側の壁板４を意味し、上段壁板４１とは、上下方向に隣接する２つの壁板４のうちの上側の壁板４を意味する。実際は、壁板施工構造１は、上下方向に３つ以上の壁板４を有する。
【００１４】
壁板施工構造１は、本実施形態では、壁下地２と、スタータ３と、複数の壁板４としての上段壁板４１及び下段壁板４２と、スタータ補助部材５と、を備える。なお、図１中の符号６は、水きり材であり、符号７は基礎である。
【００１５】
壁下地２は、複数の壁板４の下地となる部分である。壁下地２は、本実施形態では、複数の柱２１と、透湿防水シート２２と、複数の縦胴縁２３と、下地板２４と、防水紙２５とを備える。ただし、本開示では、複数の柱２１と透湿防水シート２２との間に、面材（ここでは、構造用面材）が設けられてもよい。また、複数の柱２１と透湿防水シート２２との間に面材が設けられる場合、面材と透湿防水シート２２との間に外張断熱材が設けられてもよい。
【００１６】
柱２１は、上下方向に延びた構造材である。柱２１は、本開示では、間柱又は管柱等を含む。複数の柱２１は、基礎７に固定された土台８の上面から立ち上げられている。複数の柱２１は、屋内外方向に直交しかつ水平面に沿う方向（左右方向という場合がある）に間隔をおいて配置されている。隣り合う２つの柱２１の間には、ロックウール又はグラスウール等からなる断熱材が設けられてもよい。
【００１７】
透湿防水シート２２は、水の通過は妨げるが、湿気(水蒸気)は通す性質を有するシートである。透湿防水シート２２は、本実施形態では、複数の柱２１の屋外側の側面に固定される。なお、柱２１の屋外側の側面に面材が設けられる場合、透湿防水シート２２は、面材に固定される。
【００１８】
縦胴縁２３は、透湿防水シート２２と下地板２４との間に通気層を作るための材である。複数の縦胴縁２３は、左右方向に間隔を置いて配置されており、各縦胴縁２３は上下方向に延びている。複数の縦胴縁２３は、複数の柱２１に対して、例えば、釘又はビス等の固着具で固定される。
【００１９】
下地板２４は、複数の壁板４が取り付けられる板材である。下地板２４は、本実施形態では、構造用合板であるが、本開示では、例えば、コンクリート型枠用合板，あるいは配光ストランドボード（OSB; Oriented Strand Board）等の木質系のボード材、又は石膏等のボード材等で構成されてもよい。
【００２０】
防水紙２５は、複数の壁板４の間から浸入した雨水が、屋内側に入るのを防ぐ。防水紙２５は、本実施形態では、アスファルトフェルトで構成されるが、本開示ではアスファルトフェルトに限らない。防水紙２５は、鉛直面に沿っており、防水紙２５の外側の面（屋外側の面）が、本実施形態でいう壁下地２の屋外側の鉛直面である。
【００２１】
スタータ３は、よろい張りされた複数の壁板４のうち、最下段の壁板４を、下方向に向かうに従って屋外側に位置するように傾斜させるための部材である。スタータ３は、本実施形態では、板材である。特に、本実施形態では、スタータ３は、壁板４と同じ材料で構成されている。ただし、本開示では、スタータ３の材料は特に限らない。
【００２２】
スタータ３は、壁下地２の鉛直面に、釘又はビス等の固着具２６で取り付けられ、壁下地２の鉛直面に対して固定される。要するに、スタータ３は、壁下地２に対して固定される。スタータ３の外側の面３１は、本実施形態では、下方向に向かうに従って屋外側に位置するように傾斜している。
【００２３】
スタータ３の外側の面３１（本実施形態では、屋外側の面）の傾斜は、本実施形態では、壁下地２と、スタータ３との間にスタータ補助部材５を挟むことで実現されている。スタータ補助部材５は、後述の「（２）スタータ補助部材５」で詳細に説明する。スタータ３の外側の面３１の傾斜は、本開示では、スタータ補助部材５を用いて実現する構造に限らず、例えば、壁下地２とスタータ３との間に、板状，棒状，又はブロック状等のスペーサを挟んでもよい。また、スタータ３の厚みを、下方向に向かうに従って寸法を大きくして、スタータ３の外側の面３１を傾斜させてもよい。
【００２４】
複数の壁板４は、建物の外壁を構成する。各壁板４は、本実施形態では、板状に形成されており、例えば、上下方向の幅よりも左右方向の長さのほうが長く形成されている（図４参照）。本実施形態において、壁板４の長さは、例えば、９１０ｍｍである。
【００２５】
下段壁板４２及び上段壁板４１は、鉛直面に対して傾いており、具体的には、下方向に向かうに従って屋外側に位置するように傾斜している。上段壁板４１の上端は、壁下地２に当たり、上段壁板４１の下端部は下段壁板４２の上端部の外側の面（屋外側の面）に重なる。これにより、上段壁板４１は、下方向に向かうに従って屋外側に位置するように傾斜する。
【００２６】
ここで、本開示でいう「端部」とは、端面から中央部に一定寸法向かった位置までの一定の範囲を有する部分を意味する。これに対し、「上端」又は「下端」とは、端面又は縁を意味する。
【００２７】
複数の壁板４のうち、最も下方に位置する下段壁板４２（以下の説明において「下段壁板４２」とは、最も下方に位置する下段壁板４２を意味する）は、下方向に向かうに従って屋外側に位置するように傾斜している。下段壁板４２の傾斜は、スタータ３によって実現されている。下段壁板４２の上端は、壁下地２の鉛直面に当たり、かつ、下段壁板４２の裏面は、下段壁板４２の上端よりも下方において、スタータ３に当たる。これにより、下段壁板４２は、下方向に向かうに従って屋外側に位置するように傾斜する。
【００２８】
下段壁板４２は、本実施形態では、スタータ３の上端部の屋外側の面にのみ接触しているが、スタータ３の外側の面３１の全面に対して接触してもよい。要するに、下段壁板４２の下端部が、スタータ３の少なくとも一部に当たっていればよい。
【００２９】
本実施形態では、スタータ３の外側の面３１は、上述のように、下方向に向かうに従って屋外側に位置するように傾斜している。このため、下段壁板４２の下端部は、スタータ３の下端部に近接する。したがって、下段壁板４２の下端部が、他の物体に衝突等しても、破損や損傷の可能性を低減させることができる。
【００３０】
ここでいう「近接」とは、スタータ３の下端部と下段壁板４２の下端部とが近づいた状態を意味し、スタータ３の下端部と下段壁板４２の下端部とが接触していても「近接」の範疇である。ただし、本実施形態では、図１に示すように、スタータ３の下端部と下段壁板４２の下端部との間には、僅かな隙間があり、この隙間は、例えば、スタータ３又は壁板４の厚みよりも小さい。
【００３１】
（２）スタータ補助部材
スタータ補助部材５は、スタータ３の外側の面３１を、下方向に向かうに従って屋外側に位置するように傾斜させるための部材である。スタータ補助部材５は、図２に示すように、固定部５１と、連結部５２と、支持部５３と、を備える。本実施形態では、スタータ補助部材５は、金属板（ここでは鋼板）を曲げ加工で一体に形成される。ただし、スタータ補助部材５は、本開示では、曲げ加工により形成されなくてもよく、アルミダイカスト等のような鋳造品であってもよいし、射出成型や注型成形等で成形した樹脂成型品であってもよい。
【００３２】
固定部５１は、壁下地２に固定される部分である。固定部５１は、本実施形態では、壁下地２にスタータ補助部材５が取り付けられると、壁下地２の鉛直面に沿う。固定部５１は、板状部５１１と、隙間形成部５１２と、を有する。
【００３３】
板状部５１１は、壁下地２の鉛直面に沿う板状の部分である。板状部５１１は、本実施形態では、壁下地２の鉛直面に面状に接触する。板状部５１１には、複数の貫通孔５１３が形成されており、貫通孔５１３に固着具（ここでは、ビス又は釘）が通され、固定部５１は壁下地２に固定される。板状部５１１は、本実施形態では、上下方向に離れて一対あり、一対の板状部５１１の間に隙間形成部５１２が一体に設けられている。
【００３４】
隙間形成部５１２は、壁下地２とスタータ３の下端部とを屋内外方向に離す部分である。隙間形成部５１２は、本実施形態では、板状部５１１よりも屋外方向に突出している。隙間形成部５１２は、本実施形態では、断面三角形状であるが、本開示では、断面半円状，又は断面四角形状といった多角形状等であってもよい。また、隙間形成部５１２は、板状部５１１に対して、リブ状に垂直に立ち上げられた構成であってもよい。要するに、隙間形成部５１２は、壁下地２とスタータ３の下端部とを屋内外方向に離すことができればよく、形状は特に限らない。
【００３５】
連結部５２は、固定部５１と支持部５３とをつなぎ、支持部５３よりも下方に位置する。連結部５２は、本実施形態では、固定部５１の下端（板状部５１１の下端）から屋内外方向のうちの屋外側に突出している。より詳細には、連結部５２は、屋内外方向において屋外側でかつ斜め上方に突出しており、要するに、屋内方向に向かって下り傾斜している。
【００３６】
ここで、本開示でいう「（連結部５２が）支持部５３よりも下方に位置する」とは、連結部５２の少なくとも一部が、支持部５３よりも下方に位置することを意味する。ただし、本実施形態では、連結部５２の全ては、支持部５３の上面よりも下方に位置している。
【００３７】
連結部５２が、支持部５３よりも下方に位置していることで、支持部５３に付着した水は、連結部５２に伝わりやすい。この結果、後述の支持部５３で支持されているスタータ３の下端面及び壁板４の下端面に水が付着したままになるのを抑え得る。
【００３８】
連結部５２は、少なくとも１つの水抜き孔５２１を含む。水抜き孔５２１は、本実施形態では、複数形成されている。本実施形態では、水抜き孔５２１は、支持部５３の連結部５２側の端部，連結部５２，及び板状部５１１の下端部にわたって形成されている。水抜き孔５２１は、上下方向に貫通している。したがって、連結部５２に伝わった水は、図３に示すように水抜き孔５２１を通って、水切り材６から屋外に排出される。
【００３９】
支持部５３は、スタータ３を下方から支持する部分である。支持部５３は、連結部５２に設けられており、要するに、支持部５３は、固定部５１に対して固定される。ここでいう「固定」とは、互いに直接係りあって動かないようにしたものだけでなく、間接的に固定されるものの含む。支持部５３は、本実施形態では、水平面に沿って形成されている。
【００４０】
支持部５３は、本実施形態では、水平面に沿って形成されているが、本開示では、連結部５２の先端で構成されてもよい。この場合、壁板４を支持する連結部５２の先端面又は縁部が支持部５３を構成する。要するに、本開示では、支持部５３は面状でなくてもよい。
【００４１】
また、支持部５３は、壁板４を下方から支持する。したがって、本実施形態に係る支持部５３は、壁板４とスタータ３との両方を下方から支持する。本実施形態のスタータ補助部材５は、図４に示すように、壁板４の長さ（左右方向の長さ）よりも長く形成されている。特に、本実施形態では、スタータ補助部材５は、３つの壁板４よりも長く形成されている。具体的には、スタータ補助部材５の長さは、およそ３０００ｍｍである。
【００４２】
このため、本実施形態では、１つのスタータ補助部材５で、複数の壁板４及びスタータ３を支持することができる。この結果、施工時において、スタータ補助部材５を壁下地２に固定した状態で、スタータ３を仮置きし、固着具２６を用いて壁下地２に固定することができ、施工を容易にし得る。また、スタータ補助部材５は、長尺であるため、スタータ補助部材５を壁下地２に取り付ける際に、取り付ける数量を少なくできる。
【００４３】
本実施形態では、スタータ補助部材５は、外壁の左右方向の略全長にわたって設置される。このため、本実施形態のスタータ補助部材５によれば、壁板４の下端面及びスタータ３の下端面を支持部５３で覆うことができる。したがって、壁板４の下端面及びスタータ３の下端面の破損又は損傷を防止し得る。
【００４４】
スタータ補助部材５は、本実施形態では、図２に示すように、支持部５３及び連結部５２の下面に沿って、支持部５３から延びた延長部５４が折り返され、かつ重ねられている。このため、本実施形態では、スタータ補助部材５は、支持部５３及び連結部５２が補強されている。
【００４５】
（３）変形例
上記実施形態は、本開示の様々な実施形態の一つに過ぎない。上記実施形態は、本開示の目的を達成できれば、設計等に応じて種々の変更が可能である。以下、実施形態の変形例を列挙する。以下に説明する変形例は、適宜組み合わせて適用可能である。
【００４６】
壁板施工構造１は、上記実施形態では、外壁についての構造であったが、本開示では、外壁に限らず、内壁の構造であってもよい。
【００４７】
スタータ補助部材５において連結部５２は、上記実施形態では、固定部５１の下端に設けられたが、本開示では、固定部５１の上下方向の中央部であってもよく、固定部５１に対する連結部５２の位置は特に限らない。ただし、連結部５２は、固定部５１の下端部に設けられることが好ましく、より好ましくは、上記実施形態のように、固定部５１の下端に設けられる。
【００４８】
連結部５２は、上記実施形態では、支持部５３よりも下方に位置したが、本開示では、連結部５２は水平面に沿って形成され、かつ支持部５３と同じ高さに設けられてもよい。すなわち、連結部５２及び支持部５３は、固定部５１に対し、屋外方向に垂直に突出してもよい。また、連結部５２と支持部５３との境界は、現れなくてもよい。
【００４９】
（４）態様
以上説明したように、第１の態様に係る壁板施工構造１は、壁下地２に複数の壁板４がよろい張りされた壁板施工構造１である。壁板施工構造１は、壁下地２に対して固定されるスタータ３と、スタータ３の外側の面３１と壁下地２とに当たって傾斜する壁板４と、を備える。スタータ３の外側の面３１が、下方向に向かうに従って外側に位置するように傾斜している。
【００５０】
この態様によれば、よろい張りされた壁板施工構造１において、壁板４とスタータ３との間の隙間を極力小さくすることができるため、最下段の壁板４に外力が加わったときに、破損や損傷を抑制することができる。
【００５１】
第２の態様に係る壁板施工構造１では、第１の態様において、スタータ３は板状に形成されている。壁板施工構造１は、壁下地２とスタータ３との間に配置されたスタータ補助部材５を更に備える。スタータ補助部材５は、壁下地２とスタータ３の下端部とを離す隙間形成部５１２を有する。
【００５２】
この態様によれば、スタータ補助部材５を壁下地２とスタータ３との間に設置するだけで、壁板４とスタータ３との間の隙間を極力小さくすることができる。
【００５３】
第３の態様に係る壁板施工構造１では、第２の態様において、スタータ補助部材５は、壁下地２に固定される固定部５１と、支持部５３とを有する。支持部５３は、固定部５１に対して固定されており、スタータ３を下方から支持する。
【００５４】
この態様によれば、スタータ３を壁下地２に対して固定する前に、スタータ３を傾けた状態で、支持部５３で位置決めすることができる。この結果、壁板施工構造１における施工が容易になり得る。
【００５５】
第４の態様に係る壁板施工構造１では、第３の態様において、支持部５３は、壁板４を下方から支持するように構成されている。
【００５６】
この態様によれば、スタータ３を設置した後、壁板４を壁下地２に対して固定する前に、壁板４の位置決めを行うことができる。
【００５７】
第５の態様に係る壁板施工構造１では、第３又は第４の態様において、スタータ補助部材５は、連結部５２を有する。連結部５２は、固定部５１と支持部５３とをつなぎ、支持部５３よりも下方に位置する。連結部５２は少なくとも１つの水抜き孔５２１を含む。
【００５８】
この態様によれば、壁板４やスタータ３の裏側に回り込んだ雨水を、連結部５２を伝わせて水抜き孔５２１から排水でき、水が壁板４やスタータ３の下面近傍に滞留するのを防ぎ得る。
【００５９】
第６の態様に係る壁板施工構造１では、第２〜第５のいずれか１つの態様において、壁板４は、水平方向に並ぶように複数配置される。スタータ補助部材５は、少なくとも１つの壁板４の水平方向の長さよりも長く形成されている。
【００６０】
この態様によれば、１つのスタータ補助部材５で、２つ以上の壁板４を支持することができ、壁板４を壁下地２に固定する前に、１つのスタータ補助部材５で、複数の壁板４の位置決めを行うことができる。
【００６１】
第７の態様に係るスタータ補助部材５は、第２〜第６のいずれか１つの態様のスタータ補助部材５である。スタータ補助部材５は、壁下地２とスタータ３の下端部とを離す隙間形成部５１２を備える。
【００６２】
この態様によれば、スタータ補助部材５を、壁下地２とスタータ３との間に設置するだけで、壁板４とスタータ３との間の隙間を極力小さくすることができる。
【００６３】
第２〜第６の態様に係る構成については、壁板施工構造１に必須の構成ではなく、適宜省略可能である。
【００６４】
なお、上記態様は、壁板施工構造を外壁に適用した例であったが、これに限定されず、この壁板施工構造を内壁に適用してもよい。
【符号の説明】
【００６５】
１      壁板施工構造
２      壁下地
３      スタータ
３１    スタータの外側の面
４      壁板
５      スタータ補助部材
５１    固定部
５１２  隙間形成部
５２    連結部
５２１  水抜き孔
５３    支持部
【図１】
2019148123.tif 000003
【図２】
2019148123.tif 000004
【図３】
2019148123.tif 000005
【図４】
2019148123.tif 000006